(57)【特許請求の範囲】
【請求項１】
文字板の前面で回動する指針に、光を導入して発光させるようにした計器の指針構造であって、
前記指針は、導光指針部材と、該導光指針部材を覆う指針キャップとからなり、該指針キャップには、前面にスリット、先端部に前記導光指針部材の先端から出る光が通る孔が形成されていることを特徴とする計器の指針構造。
【請求項２】
前記導光指針部材の先端面には、着色部が形成されていることを特徴とする請求項１記載の計器の指針構造。
【請求項３】
前記着色部は、光透過性の着色フィルムを前記導光指針部材の先端面に配置して構成したことを特徴とする請求項２記載の計器の指針構造。
【発明の詳細な説明】
【０００１】
【発明の属する技術分野】
本発明は、計器の指針構造に関し、詳しくは、車両用のコンビネーションメータ等の計器における指針の構造に関するものである。
【０００２】
【従来の技術】
この種の第１の指針構造として、細長い導光体からなる指針を用い、この導光体の基端部から光源の光を導入して指針の全体を照明すると共に、導光体の先端から外方に出射してポイント発光を行う構造のものがある（特開平１０ー３１８８０１号公報参照）。
【０００３】
また、第２の指針構造として、図６に示すように導光指針部材２を指針キャップ３で覆い、上面のスリット４からのみ光が出てその他の部分からの光漏れをなくし、指針の輝度向上及び照明均一化を図った指針構造も開示されている（特開平９ー１４５４１５号公報参照）。
【０００４】
が、この構造のものは、細過ぎて先端部分の光量が不足し、指針照明が不均一になるという問題がある。
【０００５】
【発明が解決しようとする課題】
しかしながら、第１の指針構造においては、指針の大部分が露出しており（指針の基端部のみがキャップで覆われている（同公報、図２参照））、このため光漏れする光量が多くなって、先端部分から出射する光量が不足し、これに起因してポイント発光の視認性の低下を招く、と言う課題を有している。
【０００６】
これに対して第２の指針構造においては、光漏れをなくすことはできるが、指針キャップ３の先端部分３ａも塞がれているため、光は、この先端部分３ａからは出ることができない。このため、指針１の照明は、スリット４から出る光のみであり、指針１の先端から光を出してポイント発光を行うことはできないという問題がある。
【０００７】
本発明は、上述の点に着目してなされたもので、指針キャップの先端に孔を設けてポイント発光の視認性を向上させた計器の指針構造を提供することを目的とする。
【０００８】
【課題を解決するための手段】
前記目的を達成するため、請求項１記載の発明は、文字板の前面で回動する指針に、光を導入して発光させるようにした計器の指針構造であって、前記指針は、導光指針部材と、該導光指針部材を覆う指針キャップとからなり、該指針キャップには、前面にスリット、先端部に前記導光指針部材の先端から出る光が通る孔が形成されていることを特徴とするものである。
【０００９】
このため、請求項１記載の発明では、スリットからの光による通常の指針照明のほか、孔から出る光でポイント発光が可能となる。
【００１０】
また、請求項２記載の発明は、請求項１記載の計器の指針構造であって、前記導光指針部材の先端面には着色部が形成されていることを特徴とするものである。
【００１１】
このため、請求項２記載の発明では、ポイント発光が任意の色で着色され、デザイン性が高い表示が得られる。
【００１２】
また、請求項３記載の発明は、請求項２記載の計器の指針構造であって、前記着色部は、光透過性の着色フィルムを前記導光指針部材の先端面に配置して構成したことを特徴とするものである。
【００１３】
このため、請求項３記載の発明では、着色フィルムを、導光指針部材の先端面あるいはこの先端面に対向する指針キャップに貼着するか、あるいは導光指針部材と指針キャップとで挟み込むことにより簡単に着色部を構成できる。
【００１４】
【発明の実施の形態】
以下、本発明の実施の形態を図面に基づいて説明する。なお、図６と同一部材または同一機能のものは同一符号で示している。
【００１５】
図１において、指針１は、導光指針部材２と、この導光指針部材２を覆う指針キャップ３とで構成されている。
【００１６】
導光指針部材２は、図１及び図２（ｂ）に示すように、先細の円柱状の本体部２ａと、この本体部２ａの後端部に一体に形成された基部２ｃとからなる導光体で形成されている。
【００１７】
指針キャップ３は、図１及び図２（ａ）に示すように、遮光性部材からなり、上面にスリット４、下面に開口部５、先端に孔６が各々形成され、導光指針部材２をスリット４及び開口部５を除く部分で覆っている。
【００１８】
光源（図示せず）からの光７は、図１に示すように、導光指針部材２の基部２ｃに導入され、テーパ面２ｂで反射され、本体部２ａを通過し、孔６から出射され、この出射光９でポイント発光を行う。
【００１９】
導光指針部材２の本体部２ａの先端に所望の色の着色部１０を形成することにより、出射光９を光源の色とは異なった任意の色とすることができる。この着色部１０は、図２（ａ）に示すようにカラー印刷で形成してもよいし、あるいは、図３に示すように、光透過性の着色フィルム１１を、導光指針部材２の先端面あるいはこの先端面に対向する指針キャップ３に貼着するか、あるいは指針キャップ３の孔６の裏面と本体部２ａの先端面との間で挟むようにしてもよい。
【００２０】
図４および図５に、上記指針１を使用した計器Ａ（コンビネーションメータ）の一部、すなわち、速度計１３、燃料計１４を示している。速度計１３は、文字板１２に目盛部１５を有し、この目盛部１５の周囲に円弧状の反射リング１６が配置され、指針１の先端部が反射リング１６のテーパ面１６ａに対向して移動するようになっている。燃料計１４も同様に、目盛部１７と反射リング１８とを有し、指針１の先端部が反射リング１８のテーパ面１８ａに対向して移動するようになっている。
【００２１】
この実施形態では、指針１の先端の孔６から出た出射光９でテーパ面１６ａ，１８ａを照射してポイント発光させる。このとき上述のように、指針１の先端に着色部１０を設けることにより、所望の色のポイント発光がテーパ面１６ａ，１８ａに映し出され、デザイン性に優れたポイント発光が可能となる。
【００２２】
以上のように、本実施の形態では、導光指針部材２の全体を指針キャップ３で覆っているので、不用意な光洩れをなくして指針キャップ３の先端部に形成した孔６から出射する光量を増大させることができ、これにより視認性の向上したポイント発光を行うことができる。また、指針１の先端に着色部１０を設けることにより、所望の色のポイント発光が得られ、デザイン性に優れた表示が可能となる。
【００２３】
また、本発明は、前述した実施形態に限定されるものではなく、基端部に指針専用の光源を内蔵した自発光タイプの指針構造にも適用されることは勿論のことである。
【００２４】
【発明の効果】
以上、詳述したように、本発明によれば、導光指針部材の全体を指針キャップで覆っているので、不用意な光洩れをなくして指針キャップの先端部に形成した孔から出射する光量を増大させることができ、これにより通常の指針照明のほか、視認性の向上したポイント発光を行うことができる。
【００２５】
また、請求項２記載の発明によれば、導光指針部材の先端面に着色部を形成したので、請求項１記載の発明の効果に加えて、ポイント発光部が任意の色で着色されて発光し、デザイン性の高い表示が得られる。
【００２６】
また、請求項３記載の発明によれば、着色部は、光透過性の着色フィルムを導光指針部材の先端面に配置したので、請求項２記載の発明の効果に加えて、簡単に着色部を構成することができる。
【図面の簡単な説明】
【図１】本発明の計器の指針構造の実施の形態を示す縦断側面図である。
【図２】指針の分解斜視図であって、（ａ）は指針キャップ、（ｂ）は導光指針部材を示す。
【図３】本発明の他の実施の形態を示す斜視図である。
【図４】本発明の指針構造を適用したコンビネーションメータの要部正面図である。
【図５】図４の要部の側面図である。
【図６】従来の指針の一例を示す斜視図である。
【符号の説明】
１  指針
２  導光指針部材
３  指針キャップ
４  スリット
６  孔
９  光
１０  着色部
１１  着色フィルム
１２  文字板
【図１】
0003568822.tif 000002
【図２】
0003568822.tif 000003
【図３】
0003568822.tif 000004
【図４】
0003568822.tif 000005
【図５】
0003568822.tif 000006
【図６】
0003568822.tif 000007